(57)【要約】【課題】本発明は、プロジェクタ表示の際の操作性を向上させることができる携帯端末を提供する。【解決手段】画像５１を投影する携帯端末１であって、投影画面５０を調整するために投影されるマーク画像５２の入力を受け付けるマーク画像入力受付手段と、画像５１を投影する際、マーク画像入力受付手段により受け付けられたマーク画像５２を同時に投影する投影手段と、を備えた。【選択図】  図２
2009164761.tif 000002
【特許請求の範囲】
【請求項１】
画像を投影する携帯端末であって、
投影画面に付加して投影されるマーク画像の入力を受け付けるマーク画像入力受付手段と、
前記画像を投影する際、前記マーク画像入力受付手段により受け付けられたマーク画像を同時に投影する投影手段と、
を備えたことを特徴とする携帯端末。
【請求項２】
文字列からなる識別子の入力を受け付ける識別子入力受付手段を備え、
前記投影手段は、前記マーク画像を投影する際、このマーク画像に前記識別子入力受付手段により受け付けられた識別子を付加して投影することを特徴とする請求項１記載の携帯端末。
【請求項３】
前記投影手段により投影される投影画面上における位置を示す投影位置の入力を受け付ける位置入力受付手段を備え、
前記投影手段は、前記マーク画像を投影する際、前記位置入力受付手段により受け付けられた投影位置に投影することを特徴とする請求項１記載の携帯端末。
【請求項４】
前記投影手段が投影画像及びマーク画像を投影する際、この投影画像及びマーク画像を別の携帯端末に送信する送信手段を備えたことを特徴とする請求項１記載の携帯端末。
【請求項５】
前記送信手段により送信された投影画像及びマーク画像を受信する受信手段を備え、
前記投影手段は、前記受信手段が投影画像及びマーク画像を受信した際、受信した投影画像及びマーク画像を同時に投影することを特徴とする請求項４記載の携帯端末。
【請求項６】
前記投影手段による投影画面上に投影されたポインタを移動させるための入力を受け付けるポインタ入力受付手段と、
前記ポインタ入力受付手段により入力を受け付けた際、この入力に基づいてポインタを移動させるポインタ移動手段と、
前記ポインタ移動手段により前記ポインタが前記マーク画像上に移動された後において、更なるポインタの移動に基づいて、この投影画面をサイズを変更する変更手段を備えたことを特徴とする請求項１記載の携帯端末。
【発明の詳細な説明】
【技術分野】
【０００１】
本発明は、プロジェクタを用いて画像を投影する際に、キャリブレーション動作を行うためのマークとして、操作性に優れたマークを投影できる携帯端末に関する。
【背景技術】
【０００２】
近年、携帯端末の機能性が向上し、ユーザは携帯端末を用いてＷｅｂ閲覧やテレビ電話等の様々な機能を使用するようになってきた。携帯端末を用いてこれらの機能を使用する際に、いつでもどこでも使用できるという利点がある反面、携帯型であるが故にディスプレイが小さいため、見にくく、また表示可能な情報量に限界があるという問題があった。
【０００３】
そこで、通話を行いながら一度に多量の情報を表示して見ることができ、また嵩張らず携帯性に優れ、更に歩きながらでも通話と同時に情報を表示するなどスピーディな情報確認を行う携帯端末が提案されている（特許文献１参照）。この携帯端末は、プロジェクタ部で、送受信情報に応じたテキスト及び画像を写し出すための液晶画像を形成し、この形成された液晶画像に光を照射して任意の被投写体に投写する。
【０００４】
また、持っている手の向きが変化して投射中に投射像がぶれた場合にも、投射像の映り具合を適切に調節できるハンディタイプのプロジェクタ装置が提案されている（特許文献２参照）。これは、プロジェクタモジュールによって生成される投射像の投射面における映り具合を調整するためのキャリブレーション動作（ピント合わせ、明るさ調整、ホワイトバランス、台形歪み）を、カメラモジュールにより撮影して取得された投射像の撮像画像に基づいて、その投射像の投射中に繰り返し実行するものである。
【特許文献１】特開２０００−２３６３７５号公報
【特許文献２】特開２００６−９３８２１号公報
【発明の開示】
【発明が解決しようとする課題】
【０００５】
携帯端末においてプロジェクタを用いることにより、従来ＬＣＤの小さい画面に表示していた画像を、例えば机上や、５０ｃｍ程度離れた壁面に投影して、より大きく見やすく表示することができるようになった。
【０００６】
しかしながら、プロジェクタを用いた表示を行う場合、キャリブレーション動作を行うために、予め携帯端末側で指定された画像を決められた位置に投影する必要がある。この指定された画像は、通常ユーザにとっては何ら意味のない画像であり、ユーザにとって必要ない画像が決められた位置に周期的に投影されるため、投影画面が見難くなってしまうという問題があった。
【０００７】
本発明は、上記課題を鑑みなされてものであり、プロジェクタを用いて画像を投影する際に、キャリブレーション動作を行うための画像として、操作性に優れたマークを投影し、かつプロジェクタ表示の際の操作性を向上させることができる携帯端末を提供することを目的とする。
【課題を解決するための手段】
【０００８】
上記課題を解決するために、本発明に係る携帯端末は、画像を投影する携帯端末であって、投影画面を調整するために投影されるマーク画像の入力を受け付けるマーク画像入力受付手段と、前記画像を投影する際、前記マーク画像入力受付手段により受け付けられたマーク画像を同時に投影する投影手段と、を備えたことを特徴とする。
【発明の効果】
【０００９】
本発明に係る携帯端末によると、プロジェクタを用いて画像を投影する際に、ユーザにより選択された画像に識別子が付加されたマークを、投影画像に重ねるようにして同時に投影することにより、プロジェクタ表示の際の操作性および画像識別性を向上させることが可能となる。
【発明を実施するための最良の形態】
【００１０】
本発明に係る携帯端末の実施形態について、添付図面を参照しながら説明する。本発明に係る携帯端末として、複数の筐体が開閉自在に結合されてなるクラムシェル型の携帯端末１、１Ａを例にあげて説明する。
【００１１】
図１に、本発明に係る携帯端末１、１Ａが適用されるネットワークシステム２の構成図を示す。ネットワークシステム２は公衆回線網３を備えており、この公衆回線網３における通信サービスの提供エリア内には、それぞれ固定無線局である基地局４が複数設置されている。この基地局４は、移動無線局である携帯端末１、１Ａが例えばＷ−ＣＤＭＡ（Ｗｉｄｅｂａｎｄ−Ｃｏｄｅ  Ｄｉｖｉｓｉｏｎ  Ｍｕｌｔｉｐｌｅ  Ａｃｃｅｓｓ）方式と呼ばれる符号分割多元接続方式によって無線接続されており、携帯端末１、１Ａは、この基地局４に対して電波を送受信することにより他の携帯端末や通信機器に対して通信を行うことができる。
【００１２】
また、ネットワークシステム２は無線ＬＡＮ（Ｌｏｃａｌ  Ａｒｅａ  Ｎｅｔｗｏｒｋ）ネットワーク５を備えており、この無線ＬＡＮネットワーク５には、複数のアクセスポイント６が有線接続されている。携帯端末１、１Ａは、アクセスポイント６に対して電波を送受信することにより、例えばＥｔｈｅｒｎｅｔ（登録商標）規格等に基づいて他の携帯端末や通信機器に対して通信を行うことができる。
【００１３】
図２は、携帯端末１、１Ａの開状態を示す斜視図である。以下、携帯端末１について説明するが、携帯端末１Ａも携帯端末１と同様の構成、作用を有しているものとする。携帯端末１は、図２に示すように、主に、矩形の板状の上筐体１０と、この上筐体１０とほぼ同形状をした下筐体１１とにより構成されていて、これらの上筐体１０及び下筐体１１は、閉状態において相互に一面を覆うように積層されている。上筐体１０及び下筐体１１は、ヒンジ部１２を挟むようにヒンジ結合されていて、上筐体１０は下筐体１１に対して、ヒンジ部１２を軸にして、図１（Ａ）のＸ方向に所定角度だけ回転自在なように形成されている。携帯端末１は、上筐体１０を下筐体１１に対して回転させることにより、閉状態から開状態に、あるいは開状態から閉状態に変形する。
【００１４】
上筐体１０の内面（下筐体１１に対面する側の面）には、文字や画像等を含んだ表示情報を表示するための液晶ディスプレイ１３、音声を出力するためのスピーカ１４、周囲の風景を撮像するためのＣＣＤカメラ１５が設けられている。これらの液晶ディスプレイ１３やスピーカ１４、ＣＣＤカメラ１５は、携帯端末１が閉状態のときには、下筐体１１により覆われていて外部に露出していないが、上筐体１０を下筐体１１に対して回転させて開状態に変形させたときには、外部に露出される。
【００１５】
上筐体１０の外面（下筐体１１と対面しない側の面）には、文字や画像等の情報を含んだ投影画面７０を周囲の壁等に投影するためのプロジェクタ１６が設けられていて、このプロジェクタ１６から、上筐体１０の外面方向に画像が投射される。上筐体１０においてＣＣＤカメラ１５とプロジェクタ１６とが背向かいになるように設けられているため、携帯端末１を上筐体１０及び下筐体１１がほぼ直角になるように開いて、下筐体１１が水平方向に、上筐体１０が鉛直方向になるように設置することで、ユーザは、テレビ電話の際にＣＣＤカメラ１５で自分側の画像を撮像しながらプロジェクタ１６を使用したり、Ｗｅｂ閲覧操作を行っている最中にプロジェクタ１６を使用したりすることができる。
【００１６】
下筐体１１の内面（上筐体１０に対面する側の面）には、例えば、ポインタやカーソルや表示画面を上下左右に移動させるための十字キーや、項目を選択するための選択キーや、数字を入力するための数字キー、発信処理を行うための発信キー等の操作キー１７が設けられている。また下筐体１１には、音声を集音するためのマイクロフォン１８が設けられている。これらの操作キー１７やマイクロフォン１８は、携帯端末１が閉状態のときには、上筐体１０により覆われていて外部に露出していないが、上筐体１０を下筐体１１に対して回転させて開状態に変形させたときには、外部に露出される。
【００１７】
図３に、プロジェクタ１６の内部構成を表す簡略図を示す。図３に示すように、プロジェクタ１６はＬＥＤ１６ａを備えていて、このＬＥＤ１６ａは、投影光として携帯端末１から投射される光を発光する。ＬＥＤ１６ａから発光された光は、液晶パネル１６ｂで変調されて第１光路Ｌ１を通過し、光反射部材１６ｃの反射面１６ｄにおいて反射する。光反射部材１６ｃにおいて、第１光路Ｌ１からの投影光が第２光路Ｌ２を通って外部に導かれる位置に反射面１６ｄが設置されている。例えば、第１光路Ｌ１は第２光路Ｌ２に対して直角になるように設置され、反射面１６ｄが第１光路Ｌ１及び第２光路Ｌ２に対してそれぞれ４５度の角度となる向きに設置されることで、投影光が投影面に導かれる。
【００１８】
光反射部材１６ｃの反射面１６ｄにおいて反射した投影光は、第２光路Ｌ２を通過した後、レンズ光学系１６ｅに入射し、このレンズ光学系１６ｅにより拡大または縮小されて携帯端末１の外部に出射する。レンズ光学系１６ｅは、ズーム機能を持たせるように複数のレンズの位置を変化させる駆動機構を有する。レンズ光学系１６ｅにより拡大または縮小されながら携帯端末１から出射した投影光は、投影画面７０として、周囲の壁等の投影面に投影される。
【００１９】
なお、プロジェクタ１６において光反射部材１６ｃが省略され、液晶パネル１７ｂで変調された投影光が光反射部材１７ｃにて反射されずに、直接レンズ光学系１７ｅに入射するように形成されても良い。
【００２０】
次に、携帯端末１の機能について、図４に示す機能ブロック図を用いて説明する。携帯端末１は、図４に示すように、主制御部２０、電源回路部２１、操作入力制御部２２、表示制御部２３、撮像制御部２４、投影制御部２５、音声制御部２６、通信制御部２７、無線ＬＡＮ制御部２８、及び記憶部２９がバスによって相互に通信可能に接続されて構成されている。
【００２１】
主制御部２０は、ＣＰＵ（Ｃｅｎｔｒａｌ  Ｐｒｏｃｅｓｓｉｎｇ  Ｕｎｉｔ）を具備し、携帯端末１の総括的な制御を行うとともに、その他の様々な演算処理や制御処理等を行う。電源回路部２１は、ユーザによる操作キー１７を介した入力に基づいて電源のオン／オフ状態を切り替え、電源がオン状態の場合に電力供給源（バッテリ等）から各部に対して電力を供給して、携帯端末１を動作可能にする。また電源回路部２１は、主制御部２０の指示に基づいて、電源供給源の電池残量を示す情報を主制御部２０に伝送する。
【００２２】
操作入力制御部２２は操作キー１７に対する入力インタフェースを備え、操作キー１７を介して入力された信号を主制御部２０に伝送する。表示制御部２３は液晶ディスプレイ１３に対する表示インタフェースを備え、主制御部２０の制御に基づいて、文書や画像等を含んだ表示情報を液晶ディスプレイ１３に表示する。
【００２３】
撮像制御部２４は、ＣＣＤカメラ１５により撮像された画像データを取得して、ＭＰＥＧ（Ｍｏｖｉｎｇ  Ｐｉｃｔｕｒｅ  Ｅｘｐｅｒｔｓ  Ｇｒｏｕｐ）−４等の所定形式に圧縮符号化して、主制御部２０に伝送する。主制御部２０は、必要に応じて、ＣＣＤカメラ１５により撮像された画像を液晶ディスプレイ１３に表示したりプロジェクタ１６を用いて投影したりする。
【００２４】
投影制御部２５は、プロジェクタ１６に対する出力インタフェースを備え、主制御部２０の指示に基づいて、文書や画像等を含んだ表示情報をプロジェクタ１６に投影するように指示を出し、プロジェクタ１６は、この指示に基づいて、周囲の壁等の投影面に表示情報を投影する。また投影制御部２５は、プロジェクタ１６を用いて画像を投影する際、図示しないカメラを用いてキャリブレーション動作を行うための画像（マーク）を投影画像と重ねるようにしてプロジェクタ１６に投影させる。
【００２５】
音声制御部２６は、主制御部２０の制御に基づいて、マイクロフォン１６で集音した音声からアナログ音声信号を生成し、このアナログ音声信号をデジタル音声信号に変換する。また音声制御部２６は、デジタル音声信号を取得すると、主制御部２０の制御に基づいて、このデジタル音声信号をアナログ音声信号に変換し、スピーカ１４から音声として出力する。
【００２６】
通信制御部２７は、主制御部２０の制御に基づいて、基地局４からアンテナ２７ａを介して受信した受信信号をスペクトラム逆拡散処理してデータを復元する。このデータは、主制御部２０の指示により、音声制御部２６に伝送されてスピーカ１４から出力されたり、表示制御部２３に伝送されて液晶ディスプレイ１３に表示されたり、または記憶部２９に記録されたりする。また通信制御部２７は、主制御部２０の制御に基づいて、マイクロフォン１８を介して入力された音声データや操作キー１７を介して入力されたデータや記憶部２９に記憶されたデータを取得すると、これらのデータに対してスペクトラム拡散処理を行い、基地局４に対してアンテナ２７ａを介して送信する。また通信制御部２７は、主制御部２０からの指示に基づいて、電波の受信状態を示す情報を主制御部２０に伝送する。
【００２７】
無線ＬＡＮ制御部２８は、アンテナ２８ａを備えていて、他の携帯端末や通信機器に対して、このアンテナ２８ａを介して、ＩＥＥＥ８０２．１１ａ／ｂ／ｇ等の所定の規格に準拠した無線ＬＡＮ通信を行う。すなわち、無線ＬＡＮ制御部２８は、主制御部２０の制御に基づいて、アクセスポイント６からアンテナ２８ａを介して受信した受信信号をスペクトラム逆拡散処理してデータを復元する。また、無線ＬＡＮ制御部２８は、主制御部２０の制御に基づいて、取得したデータに対してスペクトラム拡散処理を行い、アクセスポイント６に対してアンテナ２８ａを介して送信する。
【００２８】
記憶部２９は、主制御部２０が行う処理について、処理プログラムや処理に必要なデータ等を格納するＲＯＭ（Ｒｅａｄ  Ｏｎｌｙ  Ｍｅｍｏｒｙ）やハードディスク、不揮発性メモリ、主制御部２０が処理を行う際に使用されるデータを一時的に記憶するＲＡＭ（Ｒａｎｄｏｍ  Ａｃｃｅｓｓ  Ｍｅｍｏｒｙ）等から構成される。また、主制御部２０が後述する投影処理等を行う際の処理プログラムは、例えばＲＯＭに記憶されているものとする。また、プロジェクタ表示の際にプロジェクタ１６により投影される投影画像やマークに関する情報も、記憶部２９に記憶されているものとする。
【００２９】
携帯端末１においてプロジェクタ１６を用いて画像を投影する際、マーク（画像）を同時に投影する。このマークは、プロジェクタ１６のモジュールによって生成される投射像の投射面における映り具合を図示しないカメラを用いて調整するためのキャリブレーション動作（ピント合わせ、明るさ調整、ホワイトバランス、台形歪み）を行うためのものにも使用可能である。また、このマークはユーザに自由に選択されることにより、キャリブレーション動作のため以外に、投影画像を識別するためにも利用される。
【００３０】
携帯端末１の主制御部２０がこのような投影処理を行う際の手順について、図５に示すフローチャートに基づいて説明する。以下、例えば「ステップＳ１０１」を「Ｓ１０１」のように、「ステップ」の語句を省略して説明する。
【００３１】
ユーザは、携帯端末１のプロジェクタ１６を用いて表示内容を周囲の壁等の被出力体に出力したいときに、例えば操作キー１７を介した入力等により、携帯端末１に投影処理の指示を出す。よって、始めに主制御部２０は、投影処理が指示されたか否かを判断する（Ｓ１０１）。投影処理が指示されていない場合（Ｓ１０１のＮｏ）は、主制御部２０はそのまま待機する。
【００３２】
投影処理が指示された場合（Ｓ１０１のＹｅｓ）は、主制御部２０は、マークの全体的な形状となるマーク画像を選択するためのマーク画像選択画面４０を表示する（Ｓ１０２）。マーク画像選択画面４０は、図６（Ａ）に示すように、複数のマーク画像が選択可能に羅列されることによって構成されている。マーク画像は、例えば、予め選択されている所定の画像を示す「標準」、「星型」、「ひし形」、マーク画像を投影しない「なし」、ユーザにより予め作成された「オリジナル」等がある。ユーザは、操作キー１７を操作して、これらの複数のマーク画像のうちの一つ（もしくは複数）を選択する。なお、「なし」を選択することも可能である。
【００３３】
主制御部２０は、マーク画像が選択されたか否かを判断する（Ｓ１０３）。マーク画像が選択されていない場合（Ｓ１０３のＮｏ）は、主制御部２０はユーザによりマーク画像が選択されるまで待機する。マーク画像が選択された場合（Ｓ１０３のＹｅｓ）は、主制御部２０は、ステップＳ１０５にて選択されたマーク画像をマークに設定する（Ｓ１０４）。ここでは、例えばマーク画像として「星型」が選択されたものとする。
【００３４】
次に、主制御部２０は、マークの一部に記される識別子を選択するための識別子選択画面４１を表示する（Ｓ１０５）。識別子選択画面４２は、図６（Ｂ）に示すように、マークの識別子として使用可能な文字の種類が選択可能に羅列されることによって構成されている。識別子として使用可能な文字の種類は、例えば、「数字」、「アルファベット」、ユーザにより予め作成された「オリジナル」等である。ユーザは、操作キー１７を操作して、これらの文字の種類のうちの一つを選択する。なお、識別子を選択しないことも可能である。
【００３５】
主制御部２０は、識別子が選択されたか否かを判断する（Ｓ１０６）。識別子が選択されていない場合（Ｓ１０６のＮｏ）は、主制御部２０はユーザにより識別子が選択されるまで待機する。識別子が選択された場合（Ｓ１０６のＹｅｓ）は、主制御部２０は、識別子入力ダイアログ４２を液晶ディスプレイ１３に表示する（Ｓ１０７）。識別子入力ダイアログ４２は、図６（Ｃ）に示すように、識別子を入力するための識別子入力欄４２ａと、識別子入力欄４２ａに入力された識別子を確定するためのＯＫボタン４２ｂを備えている。識別子は、ステップＳ１０６にて選択された文字の種類により入力される。ユーザは、操作キー１７を用いて識別子入力欄４２ａに識別子を入力した後、操作キー１７を用いてＯＫボタン４２ｂを選択することにより、識別子の入力を確定する。
【００３６】
主制御部２０は、識別子が入力されたか否かを判断する（Ｓ１０９）。識別子が入力されていない場合（Ｓ１０９のＮｏ）は、主制御部２０はユーザにより識別子が入力されるまで待機する。識別子が入力された場合（Ｓ１０９のＹｅｓ）は、主制御部２０は、ステップＳ１０９にて入力された識別子をマークに設定する（Ｓ１１１）。ここでは、例えば識別子として「数字（１２）」が選択されたものとする。
【００３７】
主制御部２０は、マークが投影される投影位置を選択するための投影位置選択画面４３を表示する（Ｓ１１２）。投影位置選択画面４３は、図６（Ｄ）に示すように、マークを投影可能な位置が選択可能に羅列されることによって構成されている。マークの投影位置は、例えば、予め選択されている投影位置を示す「標準」、ユーザが十字キー等の操作キー１７を用いて位置を任意に決定する「位置指定」、右上を示す「上・右」、左上を示す「上・左」等がある。ユーザは、操作キー１７を操作して、これらの投影位置のうちの一つを選択する。
【００３８】
主制御部２０は、マークの投影位置が選択されたか否かを判断する（Ｓ１１３）。マークの投影位置が選択されていない場合（Ｓ１１３のＮｏ）は、主制御部２０はユーザによりマークの投影位置が選択されるまで待機する。マークの投影位置が選択された場合（Ｓ１１３のＹｅｓ）は、主制御部２０は、ステップＳ１１５にて選択された投影位置をマークに設定する（Ｓ１１５）。ここでは、例えばマーク投影位置として「上・右」が選択されたものとする。
【００３９】
主制御部２０は、投影画像が選択されたか否かを判断する（Ｓ１１７）。この際、例えば投影可能な画像を液晶ディスプレイ１３に選択可能に表示して、ユーザが操作キー１７を用いて、これらの画像の中からいずれかの画像を選択するようにしても良い。または、予め投影画像が選択されて設定されていても良い。または、液晶ディスプレイ１３に表示されている画像を投影するようにしても良い。投影する画像が選択されていない場合（Ｓ１１７のＮｏ）は、主制御部２０は投影する画像が選択されるまで待機する。
【００４０】
投影する画像が選択された場合（Ｓ１１７のＹｅｓ）は、主制御部２０は、ステップＳ１１７にて選択された画像をプロジェクタ１６を用いて周囲の壁等の投影面に投影画面５０として投影する（Ｓ１１９）。投影画面５０には、図７（Ａ）に示すように、ステップＳ１１７にて選択された画像５１が投影される。
【００４１】
また主制御部２０は、ステップＳ１０２乃至Ｓ１１５にて設定されたマークを、プロジェクタ１６を用いて周囲の壁等の投影面に投影する（Ｓ１２１）。すなわち、投影画面５０には、図７（Ｂ）に示すように、ステップＳ１１９にて投影した画像５１に重ねるように、ステップＳ１０４にて設定されたマーク画像５２（星型）にステップＳ１１１にて設定された識別子５３（数字「１２」）が付されたマークが、投影画面上においてステップＳ１１５にて設定された投影位置（上・右）に位置するように投影される。
【００４２】
この際、主制御部２０は、図８に示すように、通信制御部２７から電波の受信状態を示す情報を取得して、投影画面５０に電波の受信状態を示す電波マーク５４を投影したり、電源回路部２１から電源供給源の電池残量を示す情報を取得して、投影画面５０に電池残量を示す電池マーク５５を投影したりしても良い。また、十字キー等の操作キー１７を介した入力に基づいて移動するポインタ５６を投影画面５０に投影しても良い。このポインタ５６は、ユーザが操作キー１７を介して投影画面５０上で移動させることにより、差し棒として使用することができる。
【００４３】
また、図９に示すように、投影画面５０上において、ユーザが操作キー１７を介してポインタ５６をマーク画像５２の位置まで移動させるとともに、ポインタ５６をマーク画像５２に重ねた状態で移動させることにより、ステップＳ１１９にて投影した画像５１を拡大または縮小できるようにしても良い。なおこの際の拡大又は縮小は縦横比を固定とした拡大縮小であっても良いし、ポインタ５６を移動させる位置に応じて縦及び／または横について投影画面５０上の位置に応じて拡大又は縮小を行っても良い。
【００４４】
なお、マークの詳細な情報を予め設定して記憶部２９に記憶しておくことにより、ステップＳ１０２乃至Ｓ１１５のマークの設定処理を省略しても良い。また投影する画像５１は、動画像でも静止画像でも良く、また、ＣＣＤカメラ１５を用いて撮像されている画像であっても良い。
【００４５】
このようにして携帯端末１において、プロジェクタ１６を用いて画像を投影する際に、この投影画像に重ねるようにマークを同時に投影する。このマークは、ユーザにより自由にマーク画像や識別子が選択されるとともに、投影位置も任意の位置に設定される。これにより、ユーザは、マーク画像や識別子に基づいて、投影画像を識別することができる。また、このマークはキャリブレーション動作のために使用することもできる。
【００４６】
また、投影画像を大きくして投影したい場合や小さくして投影したい場合に、ポインタ５６をマーク画像５２の位置に重ねながら十字キー等の操作キー１７を介してマーク画像５２を移動させることにより、投影画像５１を拡大／縮小して投影することができる。このようにすると、例えば所定の位置に置かれた紙の上に投影したい場合や、投影画面の大きさを任意に変えたい場合に便利である。
【００４７】
なお、設定されたマーク画像、識別子、投影位置等のマークに関する情報は、ステップＳ１０４、Ｓ１１１、Ｓ１１５において記憶部２９に記憶され、次回にプロジェクタ１６による投影を行う際に、ステップＳ１０２乃至Ｓ１１５の処理を行わなくとも、ステップＳ１２１にて、この記憶部２９に記憶されているマークに関する情報に基づいてマークを投影するようにしても良い。
【００４８】
また、マーク画像、識別子、投影位置等のマークに関する情報を、投影画像に対応付けて記憶部２９に記憶しておくことで、次回にプロジェクタ１６による投影を行う際に、ステップＳ１０２乃至Ｓ１１５の処理を行わなくとも、ステップＳ１２１にて、ステップＳ１１７にて選択された投影画像に基づいてマークを投影するようにしても良い。
【００４９】
そして、投影画像を特に識別する必要がない場合や、自動キャリブレーションを必要としない場合（キャリブレーションを全て手動で行う場合等）は、マークを投影しないようにしても良い。
【００５０】
ここで、複数の携帯端末１、１Ａは、プロジェクタ１６を用いて画像を投影する際、投影画像やマークを相互に送受信して共有する機能を備えている。図１０に示すように、携帯端末１が携帯端末１Ａに対して、例えば公衆回線網３や無線ＬＡＮネットワーク５を介して投影画像を送信すると、携帯端末１Ａはこの投影画像を受信して、プロジェクタ１６を用いて投影する機能を備えている。この際、携帯端末１から携帯端末１Ａに画像と併せてマークも送信され、携帯端末１Ａは、投影画像に重ねるようにしてマークを同時に投影する。
【００５１】
ユーザが例えば複数人で同様の画面を確認しながら会議を行う場合等に、携帯端末１が携帯端末１Ａ等に投影画面の情報を送信するとともに、この投影画面の情報を受信した携帯端末１Ａ等は、この投影画面をプロジェクタ１６を用いて投影する。この際、携帯端末１が投影画面を送信しながら投影処理を行う際の手順について、図１１に示すフローチャートに基づいて説明する。
【００５２】
ユーザは、携帯端末１により投影される投影画像を、携帯端末１Ａでも同時に投影したい場合等に、操作キー１７を介した入力等により携帯端末１に対して、投影画像を携帯端末１Ａに送信するように指示を出す。よって携帯端末１の主制御部２０は、投影画像の送信が指示されたか否かを判断する（Ｓ２０１）。投影画像の送信が指示されていない場合（Ｓ２０１のＮｏ）は、主制御部２０はそのまま待機する。
【００５３】
投影画像の送信が指示された場合（Ｓ２０１のＹｅｓ）は、主制御部２０は、プロジェクタ１６を用いて、周囲の壁等の投影面に投影画像を投影する（Ｓ２０３）。この際、例えば投影可能な画像を液晶ディスプレイ１３に選択可能に表示して、ユーザが操作キー１７を用いて、これらの画像の中からいずれかの画像を選択するようにしても良い。または、予め投影する画像が選択されていても良い。または、液晶ディスプレイ１３に表示されている画像を投影するようにしても良い。
【００５４】
また主制御部２０は、プロジェクタ１６を用いて、周囲の壁等の投影面に、ステップＳ２０３にて投影した画像に重ねるようにしてマークを投影する（Ｓ２０５）。この際、ステップＳ１０２乃至Ｓ１１５の処理を行うことにより設定されたマークを投影しても、予め設定されて記憶部２９に記憶されているマークを投影しても良い。
【００５５】
図１２（Ａ）に、携帯端末１による投影画面５０の一例を示す。投影画面５０には、ステップＳ２０３にて投影された投影画像５１、ステップＳ２０５にて投影されたマークのマーク画像５２及び識別子５３、十字キー等の操作キー１７を介した入力に基づいて移動するポインタ５６が投影されている。
【００５６】
主制御部２０は、ステップＳ２０３にて投影した投影画像と同様の投影画像を示す情報を、携帯端末１Ａに送信する（Ｓ２０７）。また、主制御部２０は、ステップＳ２０５にて投影したマークと同様のマークを示す情報を、携帯端末１Ａに送信する（Ｓ２０９）。なお、送信する際、通信制御部２７により公衆回線網３を介して送信しても、無線ＬＡＮ制御部２８により無線ＬＡＮネットワーク５を介して送信しても良い。
【００５７】
携帯端末１Ａは、ステップＳ２０７にて送信された投影画像を示す情報、ステップＳ２０９にて送信されたマークを示す情報を受信すると、携帯端末１と同様に、プロジェクタ１６を用いて、図１２（Ｂ）に示すような投影画面５０Ａを投影する。投影画面５０Ａには、携帯端末１による投影画面５０と同様に、携帯端末１によりステップＳ２０３にて投影された投影画像５１、ステップＳ２０５にて投影されたマークのマーク画像５２及び識別子５３、十字キー等の操作キー１７を介した入力に基づいて移動するポインタ５６が投影されている。
【００５８】
携帯端末１の主制御部２０は、マーク操作による処理が指示がされたか否かを判断する（Ｓ２１１）。この際、ユーザにより操作キー１７を介した入力等により、マーク操作による処理がされる。マーク操作による処理が指示された場合（Ｓ２１１のＹｅｓ）は、主制御部２０は、ステップＳ２１１にて指示されたマーク操作による処理を実行する（Ｓ２１３）。
【００５９】
主制御部２０は、携帯端末１及び携帯端末１Ａにおけるプロジェクタ表示の処理を同期させるために、ステップＳ２１１にて指示されたマーク操作による処理内容を、携帯端末１Ａに送信する（Ｓ２１５）。携帯端末１Ａは、このマーク操作による処理内容を受信すると、この処理を実行する。
【００６０】
また、携帯端末１Ａは、携帯端末１からステップＳ２０７及びＳ２０９にて送信された投影画像やマークを受信すると、これらの投影画像やマークをプロジェクタ１６を介して投影する。そして、携帯端末１Ａのユーザが、携帯端末１Ａの操作キー１７を介して、マーク操作による処理を指示した場合、携帯端末１Ａは、携帯端末１及び携帯端末１Ａにおけるプロジェクタ表示の処理を同期させるために、このマーク操作による処理内容を携帯端末１に対して送信する。
【００６１】
携帯端末１の主制御部２０は、携帯端末１が携帯端末１Ａからマーク操作による処理内容を受信したか否かを判断する（Ｓ２１７）。携帯端末１がマーク操作による処理内容を受信した場合（Ｓ２１７のＹｅｓ）は、主制御部２０は、この受信したマーク操作による処理を実行する（Ｓ２１９）。
【００６２】
一方で、携帯端末１Ａが携帯端末１から投影画面の情報を受信し、この投影画面をプロジェクタ１６を用いて投影する際の携帯端末１Ａの処理について、図１３に示すフローチャートに基づいて説明する。
【００６３】
携帯端末１Ａの主制御部２０は、携帯端末１からステップＳ２０７にて送信された投影画像を受信したか否かを判断する（Ｓ３０１）。投影画像を受信していない場合（Ｓ３０１のＮｏ）は、携帯端末１Ａの主制御部２０はそのまま待機する。
【００６４】
投影画像を受信した場合（Ｓ３０１のＹｅｓ）は、携帯端末１Ａの主制御部２０は、プロジェクタ１６を用いて、周囲の壁等の投影面にステップＳ３０１にて受信した投影画像を投影する（Ｓ３０３）。この際、ステップＳ２０３にて携帯端末１により投影された投影画面と同様の画面が、携帯端末１Ａのプロジェクタ１６から投影される。
【００６５】
携帯端末１Ａの主制御部２０は、携帯端末１からステップＳ２０９にて送信されたマークを受信したか否かを判断する（Ｓ３０５）。マークを受信していない場合（Ｓ３０５のＮｏ）は、携帯端末１Ａの主制御部２０はそのまま待機する。
【００６６】
マークを受信した場合（Ｓ３０５のＹｅｓ）は、携帯端末１Ａの主制御部２０は、プロジェクタ１６を用いて、周囲の壁等の投影面に、ステップＳ３０３にて投影した投影画像に重ねるように、ステップＳ３０５にて受信したマークを投影する（Ｓ３０７）。この際、ステップＳ２０５にて携帯端末１により投影されたマークと同様のマークが、携帯端末１Ａのプロジェクタ１６から投影される。
【００６７】
携帯端末１Ａの主制御部２０は、マーク操作による処理が指示されたか否かを判断する（Ｓ３０９）。この際、携帯端末１Ａのユーザにより操作キー１７を介した入力等により、マーク操作による処理がされる。マーク操作による処理が指示された場合（Ｓ３０９のＹｅｓ）は、携帯端末１Ａの主制御部２０は、ステップＳ３０９にて指示されたマーク操作による処理を実行する（Ｓ３１１）。
【００６８】
携帯端末１Ａの主制御部２０は、携帯端末１及び携帯端末１Ａにおけるプロジェクタ表示の処理を同期させるために、ステップＳ３０９にて指示されたマーク操作による処理内容を、携帯端末１に送信する（Ｓ３１３）。携帯端末１は、ステップＳ２１７にて携帯端末１Ａからこのマーク操作による処理内容を受信すると、この処理を実行する。
【００６９】
携帯端末１Ａの主制御部２０は、携帯端末１からステップＳ２１５にて送信されたマーク操作による処理内容を受信したか否かを判断する（Ｓ３１５）。携帯端末１Ａがマーク操作による処理内容を受信した場合（Ｓ３１５のＹｅｓ）は、携帯端末１Ａの主制御部２０は、この受信したマーク操作による処理を実行する（Ｓ３１７）。
【００７０】
例えば、ステップＳ２１３にて、図１２（Ｃ）に示すように、携帯端末１のユーザの操作キー１７を介した入力に基づいて投影画面５０に投影されているマークが移動された場合、携帯端末１は、ステップＳ２１５にてこのマークの移動を示す情報を携帯端末１Ａに送信する。ステップＳ３１５にてマークの移動を示す情報を受信した携帯端末１Ａは、ステップＳ３１７にて投影画面５０Ａに投影されているマークを移動させる。この際の投影画面５０Ａに投影されているマークは、図１２（Ｄ）に示すように、図１２（Ｃ）に示す携帯端末１の投影画面５０と同様の投影位置に移動していることがわかる。
【００７１】
また同様に、ステップＳ３１１にて、図１２（Ｄ）に示すように、携帯端末１Ａのユーザの操作キー１７を介した入力に基づいて投影画面５０Ａに投影されているマークが移動された場合、携帯端末１Ａは、ステップＳ３１３にてこのマークの移動を示す情報を携帯端末１に送信する。ステップＳ２１７にてマークの移動を示す情報を受信した携帯端末１は、ステップＳ２１９にて投影画面５０に投影されているマークを移動させる。この際の投影画面５０に投影されているマークは、図１２（Ｃ）に示すように、図１２（Ｄ）に示す携帯端末１Ａの投影画面５０Ａと同様の投影位置に移動していることがわかる。
【００７２】
このようにして、携帯端末１、１Ａは、一方が投影している投影画面を他方に送信することにより、双方で同一の撮像画面を投影することができる。また、一方で指示されたマーク操作を用いた処理の処理内容を他方に送信することにより、双方で同一の処理を実行することができる。これにより、携帯端末１、１Ａを所有する複数のユーザが、それぞれプロジェクタ１６を用いて、同時に同一の投影画面を使用しながら作業することができる。
【００７３】
携帯端末１が記憶部２９に記憶された情報に基づいて投影画面を生成し、一方、携帯端末１Ａも同様に別の投影画面を生成し、公衆回線網３や無線ＬＡＮネットワーク５を介して相互に投影画面を送受信することにより、携帯端末１が携帯端末１Ａにより生成された投影画面を投影し、携帯端末１Ａが携帯端末１により生成された投影画面を投影するようにしても良い。
【００７４】
例えば携帯端末１で生成された投影画面には携帯端末１を示すマークが付加され、携帯端末１Ａで生成された投影画面には携帯端末１Ａを示すマークが付加されるようにすることにより、携帯端末１または携帯端末１Ａにて投影されている投影画面がどちらの携帯端末により生成された投影画像であるか識別できるようにしても良い。この際、付加されたマークを用いてキャリブレーション動作を行うことも可能である。
【００７５】
また、実施形態として携帯端末１と携帯端末１Ａとの間で投影画像やマークの情報を送信し合って投影する例について説明したが、これに限定されず、３台以上の携帯端末で投影画像やマーク、及びマーク操作による処理を送信し合うようにしても良い。また、携帯端末１と携帯端末１Ａとの間でマーク操作による処理の処理内容を送信し合って、マーク操作による処理を携帯端末１と携帯端末１Ａとで同期させる例について説明したが、ポインタ５６の移動も同様に同期させるようにしても良い。
【００７６】
本発明に係る携帯端末１によると、プロジェクタを用いて画像を投影する際に、ユーザにより選択された画像や識別子が付加されたマークを、投影画像に重ねるようにして投影することにより、プロジェクタ表示の際の操作性を向上させることが可能となる。
【００７７】
本発明の説明として、携帯端末１について説明したが、これに限らず、ＰＨＳ（Ｐｅｒｓｏｎａｌ  Ｈａｎｄｙｐｈｏｎｅ  Ｓｙｓｔｅｍ）、ＰＤＡ（Ｐｅｒｓｏｎａｌ  Ｄｉｇｉｔａｌ  Ａｓｓｉｓｔａｎｔｓ）、デジタルカメラ、ビデオカメラ、形態オーディオ機器、携帯ビデオ機器等、液晶ディスプレイ等の表示画面及びプロジェクタを備えた携帯端末であれば、任意の電子機器であって良い。さらには固定型の画像投影手段を持つ機器や画像表示手段を持つ機器と組み合わせて使用することも可能である。
【図面の簡単な説明】
【００７８】
【図１】本発明に係る携帯端末が適用されるネットワークシステムを示す構成図。
【図２】本発明に係る携帯端末の開状態を示す斜視図。
【図３】本発明に係る携帯端末のプロジェクタの内部構造を示す簡略図。
【図４】本発明に係る携帯端末の機能ブロック図。
【図５】本発明に係る携帯端末において投影処理を行う際の手順を示すフローチャート。
【図６】（Ａ）は、マーク画像選択画面を示す画面図。（Ｂ）は、識別子選択画面を示す画面図、（Ｃ）は、識別子入力画面を示す画面図、（Ｄ）は、投影位置選択画面を示す画面図。
【図７】（Ａ）は、本発明に係る携帯端末において画面が投影された状態を示す画面図、（Ｂ）は、本発明に係る携帯端末においてマークが投影された状態を示す画面図。
【図８】本発明に係る携帯端末における投影画面の一例を示す画面図。
【図９】本発明に係る携帯端末における投影画面の一例を示す画面図。
【図１０】本発明に係る携帯端末における投影処理を説明するための図。
【図１１】本発明に係る携帯端末において投影画像を送信して投影処理を行う際の手順を示すフローチャート。
【図１２】（Ａ）は、本発明に係る携帯端末において投影画像を送信して投影処理を行う際の投影画面の一例を示す画面図、（Ｂ）は、本発明に係る携帯端末において投影画像を受信して投影処理を行う際の投影画面の一例を示す画面図、（Ｃ）は、本発明に係る携帯端末において投影画像を送信して投影処理を行う際の投影画面の一例を示す画面図、（Ｄ）は、本発明に係る携帯端末において投影画像を受信して投影処理を行う際の投影画面の一例を示す画面図。
【図１３】本発明に係る携帯端末において投影画像を受信して投影処理を行う際の手順を示すフローチャート。
【符号の説明】
【００７９】
１…携帯端末，１０…上筐体，１１…下筐体，１２…ヒンジ部，１３…液晶ディスプレイ，１４…スピーカ，１５…ＣＣＤカメラ，１６…プロジェクタ，１６ａ…ＬＥＤ，１６ｂ…液晶パネル，１６ｃ…光反射部材，１６ｄ…反射面，１６ｅ…レンズ光学系，１７…操作キー，１８…マイクロフォン，２０…主制御部，２１…電源回路部，２２…操作入力制御部，２３…表示制御部，２４…撮像制御部，２５…投影制御部，２６…音声制御部，２７…通信制御部，２７ａ…アンテナ，２８…無線ＬＡＮ制御部，２８ａ…アンテナ，２９…記憶部，４０…マーク画像選択画面，４１…識別子選択画面，４２…識別子入力画面，４３…投影位置選択画面，５０、５０Ａ…投影画面，５１…投影画像，５２…マーク画像，５３…識別子，５４…電波マーク，５５…電池マーク，５６…ポインタ。
【図１】
2009164761.tif 000003
【図２】
2009164761.tif 000004
【図３】
2009164761.tif 000005
【図４】
2009164761.tif 000006
【図５】
2009164761.tif 000007
【図６】
2009164761.tif 000008
【図７】
2009164761.tif 000009
【図８】
2009164761.tif 000010
【図９】
2009164761.tif 000011
【図１０】
2009164761.tif 000012
【図１１】
2009164761.tif 000013
【図１２】
2009164761.tif 000014
【図１３】
2009164761.tif 000015